(57)【要約】【課題】流体流入口からの流体の流入時には弁体を流れの力によって押し開かせるが、逆方向へは弁体が弁座に密着して流れを遮断するほか、その遮断されている流れを必要に応じて回復（採取）させることができるようにした弁装置を提供する【解決手段】本発明に係る弁装置１は、流体流入口５に通じる流路６の奥側に弁座７を設け、該弁座７に対峙し、前記流入口５からの流体の流れによって前記弁座を開放し、逆方向へは前記弁座を閉じるように作動する弁体８を、前記流路６内に流れを遮蔽しない状態で設置されたスライダー９に支持させたことを特徴とし、流体流入口から差し込んだシリンジ３の先筒（針基接続部）４で、前記スライダー９を奥方へ向けて押し込むことにより弁座７に密着している弁体８を開放させることができるように構成した。【選択図】図１
2006009835.tif 000002
【特許請求の範囲】
【請求項１】
流体流入口に連通する流路の奥側に弁座を設け、該弁座に対峙し、前記流入口からの流体の流路を開放し、逆方向へは閉塞する弁体を、前記流路内に、流路を遮蔽しないように設置したスライダーに支持させたことを特徴とする弁装置。
【請求項２】
前記弁体が、弁座に対峙させる傘部とスライダーに支持させる柄部とからなる傘型のものであることを特徴とする請求項１に記載の弁装置。
【発明の詳細な説明】
【技術分野】
【０００１】
本発明は、例えば、体外血液回路又は点滴セット等の流体回路の途中から、該回路内に薬液や栄養剤などの液体を適時注入するための側注装置として用いる弁装置に関するものである。
【背景技術】
【０００２】
従来、この種の弁装置は、体外血液回路又は点滴セットの導液チューブを流れる流体中に、必要な液体を側注（混注）するような場合に、その流体回路の途中に流体流入口を設け、該流入口からの流体の流入をスムーズにさせ、流入後、流体の逆流を自動的に防止するために使われる。すなわち、流入方向へは弁体が流れ（流圧）によって押し開かれ、逆方向へは弁座に密着して流れ（逆流圧）を遮断するようになっている。
【０００３】
このような機能をなす弁装置として、スイング式逆止め弁（特開２００２−１３９１６２１号）、または傘型逆止め弁（特開２０００−２７４３７３号）がある。これらの弁装置は、特に、側注装置として開発されたものではないが、前者は、弁座に蝶番によって支持された弁体を備えたもので、該弁体は液体の流れによる押上げ力によりスイングして流路を開き、流れが止まる（流圧が零となる）と自らの重力によって弁座に密着し、逆方向の流れを遮断する。また、後者は、弁座の中心に保持された中心管に、柄部を差し込んでなる傘型の弁体を備えたもので、該弁体は流れによる押上げ力により傘部が反り返えって流路を開き、流れが止まると旧形状に戻ることによって弁座に密着し、逆方向の流れを遮断するようになっている。
【特許文献１】特開２００２−１３９１６２号
【特許文献２】特開２０００−２７４３７３号
【発明の開示】
【発明が解決しようとする課題】
【０００４】
しかしながら、上記の特開２００２−１３９１６２号及び特開２０００−２７４３７３号の弁装置は、流体を一方向に通し、逆方向の流れを遮断するのみで、逆方向の流れを必要に応じて開放させることはできなかった。したがって、体外血液回路や点滴セット等の流体回路の途中に設置した側注装置として用いる弁装置としては不十分であった。換言すれば、体外血液回路や点滴セット等の流体回路に薬液や栄養剤などの液体を側注した後の流体の逆流を確実に防止できるが、流体回路中に流動する流体を、検査等の目的のために同じ弁装置を通して採取することができなかった。
【０００５】
本発明は、上記課題を解消するためのもので、その目的とするところは、流体流入口からの流体の流入時には弁体を流れの力によって押し開かせるが、逆方向へは弁体が弁座に密着して流れを遮断するほか、その遮断されている流れを必要に応じて回復（採取）させることができるようにした弁装置を提供する点にある。
【課題を解決するための手段】
【０００６】
上記の目的を達成するため、本発明に係る弁装置は、流体流入口に連通する流路の奥側に弁座を設け、該弁座に対峙し、前記流入口からの流体の流路を開放し、逆方向へは閉塞する弁体を、前記流路内に、流路を遮蔽しないように設置したスライダーに支持させたことを特徴とし、流体流入口から差込んだシリンジの先筒（針基接続部）で、前記スライダーを奥方へ向けて押し込むことにより弁座に密着している弁体を開放させることができるように構成したものである。
【０００７】
また、請求項２に記載の発明に係る弁装置は、前記弁体が、弁座に対峙させる傘部とスライダーに支持させる柄部とからなる傘型のものであることを特徴とし、前記流入口からの流体や逆方向の流体に的確かつ迅速に反応できるように構成したものである。
【発明の効果】
【０００８】
本発明に係る弁装置によれば、流体流入口にシリンジの先筒を差込んでシリンジ内の流体を圧入すると、その流れ（流圧）によって弁座に対峙させた弁体を開放させる一方、逆方向への流れには確実に流路を遮断できる。すなわち、体外血液回路や点滴セット等の流体回路中に薬液や栄養剤などの液体の側注をスムーズにするが、側注後、流体の逆流を確実に防止できるほか、前記流体流入口から差込んだシリンジの先筒で、前記スライダーを逆方向の流れに抗して奥方へ向けて押込むことにより、弁座に密着していた弁体を弁座から離反方向に強制的に移動させることができる。したがって、それまで遮断されていた逆方向の流れを一時的あるいは半永続的に回復させ、体外血液回路や点滴セット等の流体回路中に流動する流体をシリンジに的確に採取することができるという優れた効果を奏するものである。
【０００９】
また、請求項２に記載の発明に係る弁装置によれば、前記弁体が弁座に対峙させる傘部とスライダーに支持させる柄部とからなる傘型のものであり、一方向の流れのみを許容する一方向弁としても、また、シリンジの先筒を差込む等により逆方向の流れを許容する二方向弁としても的確かつ迅速に反応できるという優れた効果を奏するものである。
【発明を実施するための最良の形態】
【００１０】
次に、本発明の実施の態様を添付図面に基づいて説明する。図１は本願弁装置における流体流入時の断面図、図２は図１のＡ−Ａ線断面図、図３は本願弁装置における逆流遮断時の断面図、図４は本願弁装置における逆流遮断を解除したときの断面図、図５（ａ）、（ｂ）は弁体の移動量の調整手段を示した断面図である。
【００１１】
本願弁装置１は、体外血液回路又は点滴セット等の導液チューブＣの途中を切断し、その切断端を繋ぐための接続管２の一側面に、図１の如く、Ｔポート状に導通させて取付けられている。該本願弁装置１は、シリンジ３の先筒（針基接続部）４を差込むための流体流入口５と、該流入口５に連通した流路６と、該流路６の奥側に設けた弁座７と、該弁座７に対峙させた弁体８とを備えている。
【００１２】
前記弁体８はゴム等の弾性素材により構成されている。また、その形状は、図示の例では、傘型になっており、その傘部８ａは前記流路６の奥側に設けた弁座７に対峙し、柄部８ｂは前記流路６内に流路を塞がないように設置したスライダー９の中心管９ａに支持させている。該スライダー９は、図２の如く、前記中心管９ａの周囲に、前記流路３の内壁に摺接する翼片９ｂを放射状に突出してなり、前記流路６内の流体の流動を妨げないようにしている。
【００１３】
前記弁座７の周囲にスカート部１０が立上げられ、前記接続管２の側面に設けた扁平皿型ケーシング１１に雌雄結合し、前記弁体（傘部８ａ）が作動する空間１２を形成している。該空間１２は前記ケーシング１１の中央部に設けた透孔１３を介して前記接続管２の内孔２′に連通している。したがって、流体流入口５にシリンジ３の先筒４を差込み、プランジャー（図示せず）を操作してシリンジ内の液体を流入Ｗすると、該液体は前記弁体８をスライダー９とともに、図１の如く、弁座７から離反するように移動し、前記空間１２を介して圧力差により透孔１３を経て接続管２の内孔２′から導液チューブＣの流れの中に混注される。この場合、弁体８が弁座７から離反する移動量は、後記する逆流体の遮断性能を高めるために可及的に小さくする方がよい。すなわち、透孔１３を有する対向壁との距離が調整される。図５（ａ）は、傘部８ａのトップに同材からなる変形及び復元可能な突子Ｐを突設するとともに、該突子Ｐの当接部Ｐ′を前記透孔１３を塞がない状態で設け、該突子Ｐの変形力と復元力を利用して前記移動量を調整するようにしてもよい。また、本願弁装置１を導通させる接続管２側の構造によっては、前記突子Ｐがあたる当接部Ｐ′を、図５（ｂ）の如く、構成することもある。
【００１４】
前記シリンジ３内の液体の圧入が終了し、流路６内の圧が下がると相対的に前記導液チューブＣを流れる流体圧が高くなり、前記空間１２内へ逆流Ｗ′するが、その瞬間に、前記弁体８がスライダー９とともに、図３の如く、弁座７に密着するように移動し、逆方向の流れを確実に遮断することとなる。したがって、体外血液回路や点滴セット等の流体回路中に薬液や栄養剤などの液体の側注後、流体の逆流は直ちに遮断されることとなる。この弁体８の反応を急速に行わせるため、前述の如く、弁体８が弁座７から離反する移動量が調整されるとよい。
【００１５】
前記流体の逆流を防止している弁体８は、前記流体流入口５にシリンジ３の先筒４を、図４の如く、差込んでスライダー９を前記空間１２の奥方へ向けて押し込むと、それまで密着していた弁体８は弁座７から強制的に離反させられる。したがって、この時点で逆方向の流れは回復し、体外血液回路や点滴セット等の流体回路中に流動する流体をシリンジ３内に適時容易に採取することができることとなる。このスライダー９を奥方へ向けて押し込む作用はシリンジ３の先筒４のほか、シリンジ３の先筒４に接続したアダプター（図示せず）で行うこともある。この場合、このスライダー９の設置位置（流体流入口５からの距離等）を考慮し、前記シリンジ３の先筒４あるいはアダプターが特殊な長さにしたものにするか、先筒４あるいはアダプターの先端部に特殊な長さの突起物を設けたものでなければスライダー９を可動させ得ないようにしておくとが安全対策上好ましい。
【００１６】
前記流体流入口５の口端外周には、図示の如く、雄ねじ１４が突設する一方、前記シリンジ３の先筒４を囲むように雌ねじ筒１５を設け、該シリンジ３の先筒４を流体流入口５に差込みつつ所定の方向に回動させることにより前記雄ねじ１４と、前記雌ねじ筒１５の内周に形成した雌ねじ１６とを螺合させると、本願弁装置１とシリンジ３の先筒４とを確実にロックできる機構（以下ロック機構と称す）１７を構成している。
【００１７】
前記本願弁装置１とシリンジ３の先筒４との間にロック機構１７を応用し、確実なロックができると、プランジャー（図示せず）を操作してシリンジ内の液体を体外血液回路や点滴セット等の流体回路中に圧入するときに、流体流入口５とシリンジの先筒との離脱事故が未然に防止できる。また、体外血液回路や点滴セット等の流体回路中に流動する流体をシリンジ３内に採取する場合において、シリンジ３の先筒４を流体流入口５に差込んで弁体８を強制的に開放させるときも、同様の効果が得られる。
【００１８】
さらに、本願弁装置１の流体流入口５に薬液持続注入器（図示せず）の出力端を結合して長時間にわたる薬液の持続注入することができるようにする場合において、前記流体流入口５と薬液持続注入器の出力端との間に上記ロック機構１７を採用すれば、これら両者の結合状態を継続的に維持することが可能となり、薬液の持続注入時の安全性は極めて向上するようになる。
【産業上の利用可能性】
【００１９】
本願弁装置１は、体外血液回路又は点滴セット等の導液チューブの途中に、Ｔポート状に取り付けた側注装置として説明したが、前記導液チューブに分岐した分岐チューブの外端部に本願弁装置１を取り付けて側注装置とすることもある。また、側注装置以外の弁装置に適用することも可能であり、産業上の利用可能性は極めて大きいものである。
【図面の簡単な説明】
【００２０】
【図１】本願弁装置における流体流入時の断面図である。
【図２】図１のＡ−Ａ線断面図である。
【図３】本願弁装置における逆流遮断時の断面図である。
【図４】本願弁装置における逆流遮断を解除したときの断面図である。
【図５】（ａ）、（ｂ）は弁体の移動量の調整手段を示した断面図である。
【符号の説明】
【００２１】
１  本願弁装置
２  接続管
２′  内孔
３  シリンジ
４  先筒（針基接続部）
５  流体流入口
６  流路
７  弁座
８  弁体
８ａ  傘部
８ｂ  柄部
９  スライダー
９ａ  中心管
９ｂ  翼片
１０  スカート部
１１  扁平皿型ケーシング
１２  空間
１３  透孔
１４  雄ねじ
１５  雌ねじ筒
１６  雌ねじ
１７  ロック機構
Ｃ  導液チューブ
Ｗ  流入
Ｗ′  逆流
Ｐ  突子
Ｐ′  当接部
【図１】
2006009835.tif 000003
【図２】
2006009835.tif 000004
【図３】
2006009835.tif 000005
【図４】
2006009835.tif 000006
【図５】
2006009835.tif 000007